(57)【要約】【課題】所定の通信品質を保持し且つ効率のよい通信を行う。【解決手段】マスター・スレーブ無線通信装置間のＨＶ１パケット音声通話時に、音声品質検知部３にて音声通話品質の状態を常に検知し、制御部４が一定時間間隔の音声通話品質が良いと判断すると、切替制御部５にＨＶ１パケット音声通話からＨＶ２パケット音声通話に切り替えるように指示し、通信効率を上げる。ＨＶ２パケット音声通話時に、前記音声品質検知部３が音声通話品質の劣化を検知した場合、制御部４は切替制御部５にＨＶ２パケット音声通話からＨＶ１パケット音声通話に切り替えるように指示を出し、所定の通話品質を保持する。【選択図】　図１
2004120537.tif 000002
【特許請求の範囲】
【請求項１】
Ｂｌｕｅｔｏｏｔｈ無線通信を利用して音声通話を行う無線通信装置において、
ＨＶ１パケットを利用した音声通話時に音声通話品質を検知する検知手段と、
前記検知した音声通話品質が良好になって閾値を超えると、ＨＶ１パケットを利用した音声通話からＨＶ２パケットを利用した音声通話に切り替えるパケット切替手段と、
を具備することを特徴とする無線通信装置。
【請求項２】
Ｂｌｕｅｔｏｏｔｈ無線通信を利用して音声通話を行う無線通信装置において、
ＨＶ２パケットを利用した音声通話時に音声通話品質を検知する検知手段と、
前記検知した音声通話品質が良好になって閾値を超えると、ＨＶ２パケットを利用した音声通話からＨＶ３パケットを利用した音声通話に切り替えるパケット切替手段と、
を具備することを特徴とする無線通信装置。
【請求項３】
Ｂｌｕｅｔｏｏｔｈ無線通信を利用して音声通話を行う無線通信装置において、
ＨＶ１パケットを利用した音声通話時に音声通話品質を検知する検知手段と、
前記検知した音声通話品質が良好になって閾値を超えると、ＨＶ１パケットを利用した音声通話からＨＶ３パケットを利用した音声通話に切り替えるパケット切替手段と、
を具備することを特徴とする無線通信装置。
【請求項４】
Ｂｌｕｅｔｏｏｔｈ無線通信を利用して音声通話を行う無線通信装置において、
ＨＶ２パケットを利用した音声通話時に音声通話品質を検知する検知手段と、
前記検知した音声通話品質が劣化して閾値を超えると、ＨＶ２パケットを利用した音声通話からＨＶ１パケットを利用した音声通話に切り替えるパケット切替手段と、
を具備することを特徴とする無線通信装置。
【請求項５】
Ｂｌｕｅｔｏｏｔｈ無線通信を利用して音声通話を行う無線通信装置において、
ＨＶ３パケットを利用した音声通話時に、一定間隔毎にＤＭ１パケットを送受信する送受信手段と、
受信したＤＭ１パケットのデータ通信品質を検知する検知手段と、
前記検知した音声通話品質が劣化して閾値を超えると、ＨＶ３パケットを利用した音声通話からＨＶ２パケットを利用した音声通話に切り替えるパケット切替手段と、
を具備することを特徴とする無線通信装置。
【請求項６】
Ｂｌｕｅｔｏｏｔｈ無線通信を利用して音声通話を行う無線通信装置において、
ＨＶ３パケットを利用した音声通話時に、一定間隔毎にＤＭ１パケットを送受信する送受信手段と、
受信したＤＭ１パケットのデータ通信品質を検知する検知手段と、
前記検知した音声通話品質が劣化して閾値を超えると、ＨＶ３パケットを利用した音声通話からＨＶ１パケットを利用した音声通話に切り替えるパケット切替手段と、
を具備することを特徴とする無線通信装置。
【請求項７】
前記送受信手段は、一定間隔毎にＤＭ１パケットを送受信する代わりに、ＤＭ１、ＤＭ３、ＤＭ５のいずれか一つを用いて送受信することを特徴とする請求項５又は６に記載の無線通信装置。
【請求項８】
Ｂｌｕｅｔｏｏｔｈ無線通信を利用して音声通話を行う無線通信方法において、
現行のパケットを利用した音声通話時に音声通話品質を検知するステップと、
前記検知した音声通話品質が閾値を超えると、現行のパケットを別のパケットに切り替えるステップと、
前記切り替えられた別のパケットを現行パケットとして音声通話に移行するステップと、
を具備することを特徴とする無線通信方法。
【発明の詳細な説明】
【０００１】
【発明の属する技術分野】
本発明は、Ｂｌｕｅｔｏｏｔｈ無線通信方式を用いて音声を送受信する無線通信装置及び無線通信方法に関する。
【０００２】
【従来の技術】
従来から、特開２００１−２１７８５３号公報（段落番号００５９、図４）や特開２００２−１８５５５９号公報（段落番号０００７、図２）のように、Ｂｌｕｅｔｏｏｔｈ通信方式を用いてマスター無線装置とスレーブ無線装置間で音声を送受信することが行われている。Ｂｌｕｅｔｏｏｔｈ無線通信ではＨＶ１、ＨＶ２、ＨＶ３パケットのいずれかを用いて音声を送受信している。
【０００３】
【発明が解決しようとする課題】
しかし、上記したＢｌｕｅｔｏｏｔｈ通信方式を用いてマスターとスレーブ無線装置間で音声通話を行う際に、最初に所定のスロットでいずれかのパケットを用いて通信を始めると、以降は通信状態が変化しても、最初に決めたパケットで最後まで通信を行っている。従って、当初、ユーザデータ送信量（１０バイト）は少ないが通話品質（通信品質に同じ）が良いＨＶ１パケットを用いて音声通話を行っている時に通信状態が良好になり、ユーザデータ送信量（２０バイト）が多いＨＶ２パケットを用いても所定の通話品質を保持できる場合でも、そのまま、ＨＶ１パケットを用い続けるため、効率的な通信を行うことができなかった。
【０００４】
また、当初、ＨＶ２パケットを用いて所定品質の音声通話を行っている時に通信状態が悪化して、ユーザデータ送信量が少ないが通話品質が良好なＨＶ１パケットを用いるべき状況になっても、そのまま、ＨＶ２パケットを用い続けるため、通話品質が悪化して通話不能に陥ることがあった。
【０００５】
本発明は、上記事情に鑑みてなされたもので、所定の通信品質を保持し且つ効率のよい通信を行うことができる無線通信装置及び無線通信方法を提供することを目的とする。
【０００６】
【課題を解決するための手段】
上記目的を達成する為の本発明の無線通信装置は、Ｂｌｕｅｔｏｏｔｈ無線通信を利用して音声通話を行う無線通信装置において、ＨＶ１パケットを利用した音声通話時に音声通話品質を検知する検知手段と、前記検知した音声通話品質が良好になって閾値を超えると、ＨＶ１パケットを利用した音声通話からＨＶ２パケットを利用した音声通話に切り替えるパケット切替手段とを具備することを特徴とする。
【０００７】
上記発明によれば、ＨＶ１パケットを利用した音声通話時に音声通話品質を検知し、検知した音声通話品質が良好になって閾値を超えると、ＨＶ１パケットを利用した音声通話からＨＶ２パケットを利用した音声通話に切り替える。
【０００８】
本発明の無線通信装置は、Ｂｌｕｅｔｏｏｔｈ無線通信を利用して音声通話を行う無線通信装置において、ＨＶ２パケットを利用した音声通話時に音声通話品質を検知する検知手段と、前記検知した音声通話品質が良好になって閾値を超えると、ＨＶ２パケットを利用した音声通話からＨＶ３パケットを利用した音声通話に切り替えるパケット切替手段とを具備することを特徴とする。
【０００９】
上記発明によれば、ＨＶ２パケットを利用した音声通話時に音声通話品質を検知し、検知した音声通話品質が良好になって閾値を超えると、ＨＶ２パケットを利用した音声通話からＨＶ３パケットを利用した音声通話に切り替える。
【００１０】
本発明の無線通信装置は、Ｂｌｕｅｔｏｏｔｈ無線通信を利用して音声通話を行う無線通信装置において、ＨＶ１パケットを利用した音声通話時に音声通話品質を検知する検知手段と、前記検知した音声通話品質が良好になって閾値を超えると、ＨＶ１パケットを利用した音声通話からＨＶ３パケットを利用した音声通話に切り替えるパケット切替手段とを具備することを特徴とする。
【００１１】
上記発明によれば、ＨＶ１パケットを利用した音声通話時に音声通話品質を検知し、検知した音声通話品質が良好になって閾値を超えると、ＨＶ１パケットを利用した音声通話からＨＶ３パケットを利用した音声通話に切り替える。
【００１２】
本発明の無線通信装置は、Ｂｌｕｅｔｏｏｔｈ無線通信を利用して音声通話を行う無線通信装置において、ＨＶ２パケットを利用した音声通話時に音声通話品質を検知する検知手段と、前記検知した音声通話品質が劣化して閾値を超えると、ＨＶ２パケットを利用した音声通話からＨＶ１パケットを利用した音声通話に切り替えるパケット切替手段とを具備することを特徴とする。
【００１３】
上記発明によれば、ＨＶ２パケットを利用した音声通話時に音声通話品質を検知し、検知した音声通話品質が劣化して閾値を超えると、ＨＶ２パケットを利用した音声通話からＨＶ１パケットを利用した音声通話に切り替える。
【００１４】
本発明の無線通信装置は、Ｂｌｕｅｔｏｏｔｈ無線通信を利用して音声通話を行う無線通信装置において、ＨＶ３パケットを利用した音声通話時に、一定間隔毎にＤＭ１パケットを送受信する送受信手段と、受信したＤＭ１パケットのデータ通信品質を検知する検知手段と、前記検知した音声通話品質が劣化して閾値を超えると、ＨＶ３パケットを利用した音声通話からＨＶ２パケットを利用した音声通話に切り替えるパケット切替手段とを具備することを特徴とする。
【００１５】
上記発明によれば、ＨＶ３パケットを利用した音声通話時に、一定間隔毎にＤＭ１パケットを送受信し、受信したＤＭ１パケットのデータ通信品質を検知し、検知した音声通話品質が劣化して閾値を超えると、ＨＶ３パケットを利用した音声通話からＨＶ２パケットを利用した音声通話に切り替える。
【００１６】
本発明の無線通信装置は、Ｂｌｕｅｔｏｏｔｈ無線通信を利用して音声通話を行う無線通信装置において、ＨＶ３パケットを利用した音声通話時に、一定間隔毎にＤＭ１パケットを送受信する送受信手段と、受信したＤＭ１パケットのデータ通信品質を検知する検知手段と、前記検知した音声通話品質が劣化して閾値を超えると、ＨＶ３パケットを利用した音声通話からＨＶ１パケットを利用した音声通話に切り替えるパケット切替手段とを具備することを特徴とする。
【００１７】
上記発明によれば、ＨＶ３パケットを利用した音声通話時に、一定間隔毎にＤＭ１パケットを送受信し、受信したＤＭ１パケットのデータ通信品質を検知し、検知した音声通話品質が劣化して閾値を超えると、ＨＶ３パケットを利用した音声通話からＨＶ１パケットを利用した音声通話に切り替える。
【００１８】
本発明の無線通信装置の前記送受信手段は、一定間隔毎にＤＭ１パケットを送受信する代わりに、ＤＭ１、ＤＭ３、ＤＭ５のいずれか一つを用いて送受信することを特徴とする。
【００１９】
上記発明によれば、ＤＭ１、ＤＭ３、ＤＭ５のいずれか一つ一定間隔毎に送受信する。
【００２０】
本発明の無線通信方法は、Ｂｌｕｅｔｏｏｔｈ無線通信を利用して音声通話を行う無線通信方法において、現行のパケットを利用した音声通話時に音声通話品質を検知するステップと、前記検知した音声通話品質が閾値を超えると、現行のパケットを別のパケットに切り替えるステップと、前記切り替えられた別のパケットを現行パケットとして音声通話に移行するステップとを具備することを特徴とする。
【００２１】
上記発明によれば、現行のパケットを利用した音声通話時に音声通話品質を検知し、検知した音声通話品質が閾値を超えると、現行のパケットを別のパケットに切り替え、切り替えられた別のパケットを現行パケットとして音声通話に移行する。
【００２２】
【発明の実施の形態】
以下、本発明の実施の形態を図面に基づいて説明する。
図１は、本発明の一実施の形態に係る無線通信装置の構成例を示したブロック図である。無線通信装置は無線にてパケットを送受信する無線インターフェース１、無線インターフェース１を用いた音声パケット通話を制御する音声通話制御部２、受信された音声信号の品質を検知する音声品質検知部３、パケットの切り替えの是非を判断したり或いは装置全体を制御する制御部４、使用するパケットを切り替える切替制御部５を有している。尚、この無線通信装置が状況に応じてマスター側にもスレープ側にもなる。
【００２３】
次に本実施の形態の動作について説明する。当初、マニュアル操作或いは予め設定されたパケットを用いて図２に示すようにマスター無線通信装置１００とスレーブ無線通信装置２００の間でＢｌｕｅｔｏｏｔｈ無線通信方式を用いた音声送受信が開始される。
【００２４】
ここで、移行の説明でマスター無線通信装置１００とスレーブ無線通信装置２００間で音声を乗せて送受されるパケットは、ＳＣＯパケットのＨＶ１、ＨＶ２、ＨＶ３パケットとする。また、ＨＶ１、ＨＶ２は誤り検出ができるが、ＨＶ３はユーザデータが最も多い（３０バイト）代わりに誤り検出ができないため、誤り検出による通話品質の検知のため、ＡＣＬパケットのＤＭ１パケットを用いるものとする。また、このＤＭ１パケットは使用するＳＣＯパケットを切り替える時にその切替タイミング情報をスレーブスレーブ無線通信装置２００に送信する場合にも用いるものとする。
【００２５】
図３はマスターとスレーブの無線通信装置間の音声送受信動作においてＨＶ１パケット音声通話からＨＶ２パケット音声通話への切替タイミングを示したシーケンス図である。ステップ（０１）にて、マスター無線通信装置１００は所定のスロットでＨＶ１パケットを無線インターフェース１から送信する。スレーブ無線通信装置２００はマスター無線通信装置１００から送信されたＨＶ１パケットを無線インターフェース１で受信する。
【００２６】
ステップ（０２）にて、スレーブ無線通信装置２００は所定のスロットでＨＶ１パケットを無線インターフェース１から送信する。マスター無線通信装置１００はスレーブ無線通信装置２００から送信されたＨＶ１パケットを無線インターフェース１で受信する。ＨＶ１パケットを受信したマスター無線通信装置１００の音声品質検知部３は、ＨＶ１パケットに含まれるエラー訂正符号により誤りが検出されると、内蔵の誤り検出カウンタ（図示せず）に１を加える。
【００２７】
ステップ（０３）にて、マスター無線通信装置１００はステップ（０１）と同様にＨＶ１パケットを送信し、スレーブ無線通信装置２００はマスター無線通信装置１００が送信したＨＶ１パケットを受信する。
【００２８】
ステップ（０４）にて、スレーブ無線通信装置２００により送信されたＨＶ１パケットをマスター無線通信装置１００が受信し、その音声品質検知部３はＨＶ１パケットのエラー訂正符号により誤り検出を試みる。ここで、マスター無線通信装置１００の制御部４は一定時間間隔を計るタイマ（図示せず）がオーバーフローした時点で、上記した誤り検出カウンタの値が予め定められた値を超えない場合には、音声通話品質が良好と判断し、切替制御部５によりＨＶ１パケット音声通話からＨＶ２パケット音声通話への切り替えを開始する。
【００２９】
ステップ（０５）にて、マスター無線通信装置１００の切替制御部５は、無線インターフェース１からスレーブ無線通信装置２００に対してＨＶ１パケットからＨＶ２パケットに切り替えるタイミングとして、このスロットから何スロット後にＨＶ２パケットに切り替えるかをＤＭ１（ＡＬＣパケットの１種）パケットに詰めて送信する。
【００３０】
ステップ（０６）にて、ステップ（０５）で送信されたＤＭ１パケットを受信したスレーブ無線通信装置２００の制御部４は、ＤＭ１パケットの中身を理解し、マスター無線通信装置１００が指定したスロットでＨＶ１パケットからＨＶ２パケットに切替が可能かを判断し、可能であれば、マスター無線通信装置１００に対して何スロット後にＨＶ１パケットからＨＶ２パケットに切り替えるかをＤＭ１パケットに詰めて送信する。
【００３１】
マスター無線通信装置１００は、ステップ（０５）で指定したＨＶ２パケットへの切替スロットと、ステップ（０６）でスレーブ無線通信装置２００が送信したＤＭ１パケットで指定されたＨＶ２パケットへの切替スロットが同じであれば、指定したスロットで送信するパケットをＨＶ２パケットへ切り替える。
【００３２】
ステップ（０７）にて、マスター無線通信装置１００はステップ（０５）で指定したスロットでＨＶ２パケットを送信する。スレーブ無線通信装置２００はマスター無線通信装置１００が送信したＨＶ２パケットを受信する。
【００３３】
ステップ（０８）にて、スレーブ無線通信装置２００は所定のスロットでＨＶ２パケットを送信する。マスター無線通信装置１００はスレーブ無線通信装置２００が送信したＨＶ２パケットを受信する。
【００３４】
図４はマスターとスレーブの無線通信装置間の音声送受信動作においてＨＶ２パケット音声通話からＨＶ３パケット音声通話への切替タイミングを示したシーケンス図である。
【００３５】
ステップ（０９）にて、マスター無線通信装置１００は所定のスロットでＨＶ２パケットを無線インターフェース１から送信する。スレーブ無線通信装置２００はマスター無線通信装置１００が送信したＨＶ２パケットを無線インターフェース１で受信する。
【００３６】
ステップ（１０）にて、スレーブ無線通信装置２００は所定のスロットでＨＶ２パケットを送信する。マスター無線通信装置１００はスレーブ無線通信装置２００が送信したＨＶ２パケットを受信する。ＨＶ２パケットを受信したマスター無線通信装置１００の音声品質検知部３は、ＨＶ２パケットに含まれるエラー訂正符号により誤りが検出された場合には内蔵の誤り検出カウンタに１を加える。
【００３７】
ステップ（１１）にて、マスター無線通信装置１００はステップ（０９）と同様にＨＶ２パケットを送信し、スレーブ無線通信装置２００はマスター無線通信装置１００が送信したＨＶ２パケットを受信する。
【００３８】
ステップ（１２）にて、マスター無線通信装置１００はスレーブ無線通信装置２００が送信したＨＶ２パケットをマスター無線通信装置１００の音声品質検知部３が受信し、ＨＶ２パケットのエラー訂正符号により誤り検出を試みる。ここで、制御部４は一定時間間隔を計るタイマーがオーバーフローした時点で、上記誤り検出カウンタの値が予め定められた値を超えない場合には音声通話品質が良好と判断して、切替制御部５によりＨＶ２パケット音声通話からＨＶ３パケット音声通話への切り替えを開始する。
【００３９】
ステップ（１３）にて、マスター無線通信装置１００の切替制御部５は、スレーブ無線通信装置２００に対してＨＶ２パケットからＨＶ３パケットに、このスロットから何スロット後にＨＶ３パケットに切り替えるかをＤＭ１パケットに詰めて送信する。
【００４０】
ステップ（１４）にて、ステップ（１３）で送信されたＤＭ１パケットを受信したスレーブ無線通信装置２００の制御部４は、ＤＭ１パケットの中身を理解し、マスター無線通信装置１００が指定したスロットでＨＶ２パケットからＨＶ３パケットに切り替え可能かを判断し、可能であれば、切替制御部５によりマスター無線通信装置１００に対して何スロット後にＨＶ２パケットからＨＶ３パケットに切り替えるかをＤＭ１パケットに詰めて送信する。
【００４１】
マスター無線通信装置１００の切替制御部５は、ステップ（１３）で指定したＨＶ３パケットへの切替スロットと、ステップ（１４）でスレーブ無線通信装置２００が送信したＤＭ１パケットで指定されたＨＶ３パケットへの切替スロットが同じであれば、指定したスロットでＨＶ３パケットへ送信するパケットを切り替える。
【００４２】
ステップ（１５）にて、マスター無線通信装置１００はステップ（１３）で指定したスロットでＨＶ３パケットを送信する。スレーブ無線通信装置２００はマスター無線通信装置１００が送信したＨＶ３パケットを受信する。
【００４３】
ステップ（１６）にて、スレーブ無線通信装置２００は指定のスロットでＨＶ３パケットを送信する。マスター無線通信装置１００はスレーブ無線通信装置２００が送信したＨＶ３パケットを受信する。
【００４４】
図５はマスターとスレーブの無線通信装置間の音声送受信動作においてＨＶ２パケット音声通話からＨＶ１パケット音声通話への切替タイミングを示したシーケンス図である。
【００４５】
ステップ（１７）にて、マスター無線通信装置１００は無線インターフェース１から所定のスロットでＨＶ２パケットを送信する。スレーブ無線通信装置２００はマスター無線通信装置１００から送信されたＨＶ２パケットを無線インターフェース１により受信する。
【００４６】
ステップ（１８）にて、スレーブ無線通信装置２００は所定のスロットでＨＶ２パケットを送信する。マスター無線通信装置１００はスレーブ無線通信装置２００から送信されたＨＶ２パケットを受信する。ＨＶ２パケットを受信したマスター無線通信装置１００の音声品質検知部３は、ＨＶ２パケットに含まれるエラー訂正符号により誤りが検出された場合には内蔵の誤り検出カウンタに１を加える。
【００４７】
ステップ（１９）にて、マスター無線通信装置１００はステップ（１７）と同様にＨＶ２パケットを送信し、スレーブ無線通信装置２００はマスター無線通信装置１００が送信したＨＶ２パケットを受信する。
【００４８】
ステップ（２０）にて、スレーブ無線通信装置２００から送信されたＨＶ２パケットをマスター無線通信装置１００は受信し、その音声品質検知部３がＨＶ２パケットのエラー訂正符号により誤り検出を試みる。ここで、マスター無線通信装置１００の制御部４は一定時間間隔を計る内蔵のタイマーがオーバーフローした時点で、上記誤り検出カウンタの値が予め定められた値を超えた場合には音声通話品質が劣化したと判断して、切替制御部５によりＨＶ２パケット音声通話からＨＶ１パケット音声通話への切り替えを開始する。
【００４９】
ステップ（２１）にて、マスター無線通信装置１００の切替制御部５は、無線インターフェース１からスレーブ無線通信装置２００に対してＨＶ２パケットからＨＶ１パケットに切り替えるタイミングとして、このスロットから何スロット後にＨＶ１パケットに切り替えるかをＤＭ１パケットに詰めて送信する。
【００５０】
ステップ（２２）にて、ステップ（２１）で送信されたＤＭ１パケットを受信したスレーブ無線通信装置２００の制御部４は、ＤＭ１パケットの中身を理解し，マスター無線通信装置１００が指定したスロットでＨＶ２パケットからＨＶ１パケットに切り替え可能かを判断し、可能であれば、切替制御部５によりマスター無線通信装置１００に対して何スロット後にＨＶ２パケットからＨＶ１パケットに切り替えるかをＤＭ１パケットに詰めて送信する。
【００５１】
マスター無線通信装置１００の切替制御部５は、ステップ（２１）で指定したＨＶ１パケットへの切替スロットと、ステップ（２２）でスレーブ無線通信装置２００が送信したＤＭ１パケットで指定されたＨＶ１パケットへの切替スロットが同じであれば、送信するパケットを指定したスロットでＨＶ１パケットへ切り替える。
【００５２】
ステップ（２３）にて、マスター無線通信装置１００の切替制御部５はステップ（２１）で指定したスロットでＨＶ１パケットを送信する。スレーブ無線通信装置２００はマスター無線通信装置１００が送信したＨＶ１パケットを受信する。
【００５３】
ステップ（２４）にて、スレーブ無線通信装置２００は指定のスロットでＨＶ１パケットを送信する。マスター無線通信装置１００はスレーブ無線通信装置２００が送信したＨＶ１パケットを受信する。
【００５４】
本実施の形態によれば、マスター無線通信装置１００とスレーブ無線通信装置２００間で当初ＨＶ１パケットを用いて通信していたが、その後、一定時間内の通信エラー数が減って通信状態が良好になると、ＨＶ１パケットよりもユーザデータ送信量が多いＨＶ２パケットに自動的に切り替えて通信を行うため、効率的な通信を行うことができる。
【００５５】
また、マスター無線通信装置１００とスレーブ無線通信装置２００間で当初ＨＶ２パケットを用いて通信していたが、その後、一定時間内の通信エラー数が減って通信状態が更に良好になると、ＨＶ２パケットよりもユーザデータ送信量が多いＨＶ３パケットに自動的に切り替えて通信を行うため、更に効率的な通信を行うことができる。
【００５６】
更に、マスター無線通信装置１００とスレーブ無線通信装置２００間で当初ＨＶ２パケットを用いて通信していたが、その後、一定時間内の通信エラー数が増加して通信状態が悪化すると、ＨＶ２パケットよりもユーザデータ送信量が少ないが通信品質が良いＨＶ１パケットに自動的に切り替えて通信を行うため、所定の通信品質を保持して通信を続行することができる。
【００５７】
尚、本発明は上記実施の形態に限定されることなく、その要旨を逸脱しない範囲において、具体的な構成、機能、作用、効果において、他の種々の形態によっても実施することができる。上記実施の形態では、マスター無線通信装置１００とスレーブ無線通信装置２００間で当初ＨＶ１パケットを用いて通信していたが、その後、一定時間内の通信エラー数が減少して通信状態が良好になると、ＨＶ１パケットよりもユーザデータ送信量が多いＨＶ２パケットに自動的に切り替えて通信を行う例について述べたが、通信状態の良好度により、ＨＶ１パケットを最もユーザデータ送信量が多いＨＶ３パケットに直接に切り替えて通信を続行するようにし、最も高い通信効率を直ちに得るようにしても良い。
【００５８】
マスター無線通信装置１００とスレーブ無線通信装置２００間で当初ＨＶ３パケットを用いて通信していたが、その後、一定時間内の通信エラー数が減少して通信状態が良好になると、ＨＶ３パケットよりもユーザデータ送信量が少ないが通信品質が良いＨＶ２パケットに自動的に切り替えて通信を行うようにしてもよい。
【００５９】
更に、マスター無線通信装置１００とスレーブ無線通信装置２００間で当初ＨＶ３パケットを用いて通信していたが、その後、一定時間内の通信エラー数が減少して通信状態が非常に悪化すると、ＨＶ３パケットよりもユーザデータ送信量が最も少ないが通信品質が最も良いＨＶ１パケットに自動的に切り替えて通信を行うようにしてもよく、これにより、通信不能に陥ることを回避することができる。
【００６０】
また、上記実施の形態では、パケット切り替えタイミングや通信状態を調べるためにＤＭ１パケットを用いているが、状況に応じてＤＭ３、ＤＭ５パケットを用いて知らせても良い。
【００６１】
【発明の効果】
以上説明したように、本発明によれば、通信状態に応じて最適のパケットに自動的に切り替えて音声通話を行うことで、所定の通信品質を保持し且つ効率のよい通信を行うことができる。
【図面の簡単な説明】
【図１】本発明の一実施の形態に係る無線通信装置の構成を示すブロック図。
【図２】図１に示した無線通信装置２台の一方をマスターとし、他方をスレーブとして音声通話を行う構成を示すブロック図。
【図３】マスターとスレーブの無線通信装置間の音声送受信動作においてＨＶ１パケット音声通話からＨＶ２パケット音声通話への切替タイミングを示すシーケンス図。
【図４】マスターとスレーブの無線通信装置間の音声送受信動作においてＨＶ２パケット音声通話からＨＶ３パケット音声通話への切替タイミングを示すシーケンス図。
【図５】マスターとスレーブの無線通信装置間の音声送受信動作においてＨＶ２パケット音声通話からＨＶ１パケット音声通話への切替タイミングを示すシーケンス図。
【符号の説明】
１　無線インターフェース
２　音声通話制御部
３　音声品質検知部
４　制御部
５　切替制御部
１００　マスター無線通信装置
２００　スレーブ無線通信装置
【図１】
2004120537.tif 000003
【図２】
2004120537.tif 000004
【図３】
2004120537.tif 000005
【図４】
2004120537.tif 000006
【図５】
2004120537.tif 000007